【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
メディアデータを取得する方法であって、前記方法が、
プロキシユニットによって、
メディアデータを取得するためのサービスに基づいて、前記メディアデータの識別子をリソースの場所にマッピングするマッピング情報を取得するステップであって、前記サービスが、前記メディアデータをトランスポートするための複数のタイプのトランスポートのうちの少なくとも1つを定義する、ステップと、
アプリケーションサービスクライアントからの前記メディアデータに対する要求を受信するステップと、
前記サービスが利用可能であるかどうかを判断するステップと、
前記サービスが利用可能であるとき、前記アプリケーションサービスクライアントに、前記マッピング情報に基づいて、前記サービスを使用して前記リソースの場所から前記メディアデータを受信するユニットから前記メディアデータを受信させるステップと
を含む、方法。
【請求項２】
前記リソースの場所がネットワーク上の場所を含み、前記方法が、
前記要求で指定された前記メディアデータが前記マッピング情報中の前記メディアデータと一致するかどうかを判断するステップと、
前記要求で指定された前記メディアデータが前記マッピング情報中の前記メディアデータと一致するとき、前記アプリケーションサービスクライアントに前記ネットワーク上の場所から前記メディアデータを取得させるために、前記メディアデータの前記識別子が前記マッピング情報中でマッピングされた前記ネットワーク上の場所を指定するリダイレクトメッセージを前記アプリケーションサービスクライアントに送るステップと
をさらに含む、請求項1に記載の方法。
【請求項３】
前記要求で指定された前記メディアデータが前記マッピング情報中の前記メディアデータと一致しないとき、前記アプリケーションサービスクライアントにデフォルトのリダイレクションのネットワーク上の場所から前記メディアデータを取得させるために、前記デフォルトのリダイレクションのネットワーク上の場所を指定するリダイレクトメッセージを前記アプリケーションサービスクライアントに送るステップをさらに含む、請求項2に記載の方法。
【請求項４】
前記要求で指定された前記メディアデータが前記マッピング情報中の前記メディアデータと一致しないとき、前記アプリケーションサービスクライアントに前記要求のコピーを送り返すステップをさらに含む、請求項2に記載の方法。
【請求項５】
前記マッピング情報をマッピングテーブル内に記憶するステップをさらに含み、前記要求で指定された前記メディアデータが前記マッピング情報中の前記メディアデータと一致するかどうかを判断するステップが、メディアデバイスの識別子が前記マッピングテーブル内のエントリに対応するかどうかを判断するステップを含む、請求項2に記載の方法。
【請求項６】
前記マッピング情報が、ユニフォームリース識別子(URI)プレフィックスとして表されるマッピング基準を含み、前記要求で指定された前記メディアデータが前記マッピング情報中の前記メディアデータと一致するかどうかを判断するステップが、前記要求に示された前記メディアデータのURIの少なくとも一部と一致する前記マッピング情報のURIプレフィックスを決定するステップを含む、請求項2に記載の方法。
【請求項７】
前記要求に示された前記メディアデータのURIの少なくとも一部と一致する前記マッピング情報のURIプレフィックスを決定するステップが、前記要求に示された前記メディアデータのURIの少なくとも一部と一致する前記マッピング情報の最長のURIプレフィックスを決定するステップを含む、請求項6に記載の方法。
【請求項８】
前記マッピング基準によって表される前記URIプレフィックスが、メディアデータをトランスポートするためのトランスポートのタイプを定義するそれぞれのサービスに対応し、前記URIプレフィックスのうちの第1のURIプレフィックスが、ブロードキャストサービスを定義し、前記URIプレフィックスのうちの第2のURIプレフィックスが、ユニキャストサービスを定義する、請求項6に記載の方法。
【請求項９】
前記マッピング情報が、各々の潜在的な一致に関する優先順位値を含み、前記要求で指定された前記メディアデータが前記マッピング情報中の前記メディアデータと一致するかどうかを判断するステップが、最も高い優先順位値を有する一致を選択するステップを含む、請求項2に記載の方法。
【請求項１０】
前記マッピング情報が、各々の潜在的な一致に関する優先順位値を含み、前記要求で指定された前記メディアデータが前記マッピング情報中の前記メディアデータと一致するかどうかを判断するステップが、最も低い優先順位値を有する一致を選択するステップを含む、請求項2に記載の方法。
【請求項１１】
前記マッピング情報が、正規表現として表されるマッピング基準を含み、前記要求で指定された前記メディアデータが前記マッピング情報中の前記メディアデータと一致するかどうかを判断するステップが、前記要求で示された前記メディアデータの識別子と直接一致する最大数の文字と一致する正規表現を選択するステップを含む、請求項2に記載の方法。
【請求項１２】
前記マッピング情報が、正規表現として表されるマッピング基準を含み、前記マッピング情報が、各々の潜在的な一致に関する優先順位値を含み、前記要求で指定された前記メディアデータが前記マッピング情報中の前記メディアデータと一致するかどうかを判断するステップが、最も高い優先順位値を有する一致を選択するステップを含む、請求項2に記載の方法。
【請求項１３】
前記マッピング情報が、正規表現として表されるマッピング基準を含み、前記マッピング情報が、各々の潜在的な一致に関する優先順位値を含み、前記要求で指定された前記メディアデータが前記マッピング情報中の前記メディアデータと一致するかどうかを判断するステップが、最も低い優先順位値を有する一致を選択するステップを含む、請求項2に記載の方法。
【請求項１４】
前記サービスが利用可能であるかどうかを判断するステップが、前記プロキシユニットがサービスカバレッジエリア内にあるかどうかを判断するステップを含む、請求項1に記載の方法。
【請求項１５】
前記要求が、動的適応型ストリーミングオーバHTTP(DASH)要求に適合し、前記方法が、
前記プロキシユニットによって、
前記DASH要求を受信するステップであって、前記DASH要求が、前記プロキシユニットの
ネットワークアドレスを指定する、ステップと、
前記DASH要求に応答して、前記要求に指定された前記メディアデータを受信し、前記メ
ディアデータを前記アプリケーションサービスクライアントに提供するステップと
をさらに含む、請求項1に記載の方法。
【請求項１６】
メディアデータを取得するためのデバイスであって、前記デバイスが、
メディアデータを取得するためのサービスに基づいて、前記メディアデータの識別子をリソースの場所にマッピングするマッピング情報を取得するための手段であって、前記サービスが、前記メディアデータをトランスポートするための複数のタイプのトランスポートのうちの少なくとも1つを定義する、手段と、
アプリケーションサービスクライアントからの前記メディアデータに対する要求を受信するための手段と、
前記サービスが利用可能であるかどうかを判断するための手段と、
前記サービスが利用可能であるとき、前記アプリケーションサービスクライアントに、前記マッピング情報に基づいて、前記サービスを使用して前記リソースの場所から前記メディアデータを受信するユニットから前記メディアデータを受信させるための手段と、
を備えるプロキシユニット
を備える、デバイス。
【請求項１７】
前記メディアデータを受信するミドルウェアユニットをさらに備え、前記ミドルウェア
ユニットが、マルチメディアブロードキャストマルチキャストサービス(MBMS)ミドルウェ
アユニットと、進化型MBMS(eMBMS)ミドルウェアユニットとのうちの一方を備える、請求
項16に記載のデバイス。
【請求項１８】
前記デバイスが、プロキシデバイスを備え、クライアントデバイスが、前記アプリケー
ションサービスクライアントを備え、前記プロキシデバイスが、前記クライアントデバイ
スと別である、請求項16に記載のデバイス。